(57)【特許請求の範囲】
【請求項１】
羽根（１）と、
前記羽根（１）を回転させるための羽根用モータ（２）と、
前記羽根（１）を上下方向に首振りさせるための上下首振りモータ（１２）と、
前記羽根（１）を左右方向に首振りさせるための左右首振りモータ（２２）と、
前記羽根（１）が上下方向の所定の方向を向いていることを検出する上下方向検出機構と、
前記羽根（１）が左右方向の所定の方向を向いていることを検出する左右方向検出機構と、
を有する扇風機（１００）であって、
前記上下方向検出機構および前記左右方向検出機構の少なくとも一方を用いることによって、前記羽根（１）が、上下方向の前記所定の方向および左右方向の前記所定の方向の少なくとも一方の方向を向くように、前記上下首振りモータ（１２）および前記左右首振りモータ（２２）の少なくとも一方が制御され、
前記羽根用モータ（２）と、前記上下首振りモータ（１２）および前記左右首振りモータ（２２）の少なくとも一方と、が動作中に、前記扇風機（１００）を停止させる場合、前記羽根（１）が上下方向の前記所定の方向および左右方向の前記所定の方向の少なくとも一方を向くように、前記上下首振りモータ（１２）および前記左右首振りモータ（２２）の少なくとも一方が制御された後、前記羽根用モータ（２）が停止され、
前記羽根用モータ（２）と前記上下首振りモータ（１２）と前記左右首振りモータ（２２）とが動作中に、上下首振り運転を停止させる場合、前記羽根（１）が上下方向の前記所定の方向を向くように、前記上下首振りモータ（１２）が制御された後、左右首振り運転が実行され、
前記羽根用モータ（２）と前記上下首振りモータ（１２）と前記左右首振りモータ（２２）とが動作中に、左右首振り運転を停止させる場合、前記羽根（１）が左右方向の前記所定を向くように、前記左右首振りモータ（２２）が制御された後、上下首振り運転が実行される、
ことを特徴とする扇風機（１００）。
【請求項２】
前記羽根（１）が、上下方向の前記所定の方向を向き、かつ、左右方向の前記所定の方向を向いた状態で、前記羽根用モータ（２）が停止する、
請求項１に記載の扇風機（１００）。
【請求項３】
上下方向の前記所定の方向は、上下方向正面位置であり、
左右方向の前記所定の方向は、左右方向正面位置である、
請求項１または２に記載の扇風機（１００）。
【請求項４】
前記上下方向検出機構は、第１のカム（１７）と、前記第１のカム（１７）に対面する第１のスイッチ（１８）と、を有し、
前記羽根（１）が、上下方向の前記所定の方向を向いたとき、前記第１のカム（１７）は前記第１のスイッチ（１８）をＯＮまたはＯＦＦし、
前記左右方向検出機構は、第２のカム（２７）と、前記第２のカム（２７）に対面する第２のスイッチ（２８）と、を有し、
前記羽根（１）が、左右方向の前記所定の方向を向いたとき、前記第２のカム（２７）は前記第２のスイッチ（２８）をＯＮまたはＯＦＦする、
請求項１から３のいずれかに記載の扇風機（１００）。
【請求項５】
前記上下方向検出機構は、第１の反射体（１７ａ）と、前記第１の反射体（１７ａ）に対面し、発光ビームを放射するとともに反射ビームを受光する第１の反射型フォトセンサ（１８ａ）と、を有し、
前記羽根（１）が、上下方向の前記所定の方向を向いたとき、前記第１の反射体（１７ａ）は、前記第１の反射型フォトセンサ（１８ａ）の発光ビームを前記第１の反射型フォトセンサ（１８ａ）に反射し、
前記左右方向検出機構は、第２の反射体（２７ａ）と、前記第２の反射体（２７ａ）に対面し、発光ビームを放射するとともに反射ビームを受光する第２の反射型フォトセンサ（２８ａ）と、を有し、
前記羽根（１）が、左右方向の前記所定の方向を向いたとき、前記第２の反射体（２７ａ）は、前記第２の反射型フォトセンサ（２８ａ）の発光ビームを前記第２の反射型フォトセンサ（２８ａ）に反射する、
請求項１から３のいずれかに記載の扇風機（１００）。
【発明の詳細な説明】
【技術分野】
【０００１】
本発明は、扇風機モードおよび攪拌モードの両方で使用可能な扇風機に関するものである。
【背景技術】
【０００２】
近年の扇風機は、図１３に示すように、上下首振り運転または左右首振り運転の一方による通常の扇風機モードの他に、上下首振り運転および左右首振り運転の両方を組み合わせた攪拌モードで動作することができる。攪拌モードでは、部屋の空気を撹拌（循環）し、夏の冷房効率および冬の暖房効率を向上させることができる。
例えば、特許文献１には、第１のステッピングモータ２６の動作を制御する左右首振り制御部４５と、第２のステッピングモータ２７の動作を制御する上下首振り制御部４６とをそれぞれ備え、上下方向に首振り可能かつ左右方向に首振り可能な扇風機が開示されている。
【先行技術文献】
【特許文献】
【０００３】
【特許文献１】特開２０１２−２３７２３８号公報
【発明の概要】
【発明が解決しようとする課題】
【０００４】
しかしながら、攪拌モードで使用中に入／切ボタンを押して扇風機を停止すると、入／切ボタンを押したときの羽根の方向で扇風機が停止してしまう。それゆえ、羽根の方向はその都度ばらばらになってしまう。次回も攪拌モードで使用する場合には問題ないが、次回は通常の扇風機モード（例えば、左右首振り運転）で使用する際には、上下首振り運転をしばらく行い、羽根を所定の上下方向に向けた後、上下首振り運転を停止してから、左右首振り運転を開始しなければならない。このような操作は、時間と手間を要し、使い勝手が悪いものである。また、羽根を好みの方向に向けるために、手動で羽根を動かすと、首振り運転用モータのギアに過度の力が加わり、ギアの破損が生じるおそれがあった。
【０００５】
それゆえ、本発明の目的は、扇風機モードおよび攪拌モードの両方で使用可能な扇風機において、羽根が、上下方向および／または左右方向の所定の方向を向いた状態に調節される扇風機を提供することにある。
【課題を解決するための手段】
【０００６】
本発明の要旨は、以下のとおりである。
羽根（１）と、
前記羽根（１）を回転させるための羽根用モータ（２）と、
前記羽根（１）を上下方向に首振りさせるための上下首振りモータ（１２）と、
前記羽根（１）を左右方向に首振りさせるための左右首振りモータ（２２）と、
前記羽根（１）が上下方向の所定の方向を向いていることを検出する上下方向検出機構と、
前記羽根（１）が左右方向の所定の方向を向いていることを検出する左右方向検出機構と、
を有する扇風機（１００）であって、
前記上下方向検出機構および前記左右方向検出機構の少なくとも一方を用いることによって、前記羽根（１）が、上下方向の前記所定の方向および左右方向の前記所定の方向の少なくとも一方の方向を向くように、前記上下首振りモータ（１２）および前記左右首振りモータ（２２）の少なくとも一方が制御されることを特徴とする。
【０００７】
前記羽根（１）が、上下方向の前記所定の方向を向き、かつ、左右方向の前記所定の方向を向いた状態で、前記羽根用モータ（２）が停止することが好ましい。
【０００８】
上下方向の前記所定の方向は、上下方向正面位置であり、
左右方向の前記所定の方向は、左右方向正面位置であることが好ましい。
【０００９】
前記上下方向検出機構は、第１のカム（１７）と、前記第１のカム（１７）に対面する第１のスイッチ（１８）と、を有し、
前記羽根（１）が、上下方向の前記所定の方向を向いたとき、前記第１のカム（１７）は前記第１のスイッチ（１８）をＯＮまたはＯＦＦし、
前記左右方向検出機構は、第２のカム（２７）と、前記第２のカム（２７）に対面する第２のスイッチ（２８）と、を有し、
前記羽根（１）が、左右方向の前記所定の方向を向いたとき、前記第２のカム（２７）は前記第２のスイッチ（２８）をＯＮまたはＯＦＦすることが好ましい。
【００１０】
前記上下方向検出機構は、第１の反射体（１７ａ）と、前記第１の反射体（１７ａ）に対面し、発光ビームを放射するとともに反射ビームを受光する第１の反射型フォトセンサ（１８ａ）と、を有し、
前記羽根（１）が、上下方向の前記所定の方向を向いたとき、前記第１の反射体（１７ａ）は、前記第１の反射型フォトセンサ（１８ａ）の発光ビームを前記第１の反射型フォトセンサ（１８ａ）に反射し、
前記左右方向検出機構は、第２の反射体（２７ａ）と、前記第２の反射体（２７ａ）に対面し、発光ビームを放射するとともに反射ビームを受光する第２の反射型フォトセンサ（２８ａ）と、を有し、
前記羽根（１）が、左右方向の前記所定の方向を向いたとき、前記第２の反射体（２７ａ）は、前記第２の反射型フォトセンサ（２８ａ）の発光ビームを前記第２の反射型フォトセンサ（２８ａ）に反射することが好ましい。
【図面の簡単な説明】
【００１１】
【図１】本発明の第１実施形態に係る扇風機の正面図である。
【図２】本発明の第１実施形態に係る扇風機の上下首振り運転を示す図である。
【図３】本発明の第１実施形態に係る扇風機の上下方向検出機構の拡大図である。
【図４】本発明の第１実施形態に係る扇風機の左右首振り運転を示す図である。
【図５】本発明の第１実施形態に係る扇風機の左右方向検出機構の拡大図である。
【図６】本発明の第１実施形態に係る扇風機の操作パネルを示す図である。
【図７】本発明の第１実施形態に係る扇風機の制御回路である。
【図８】本発明の第１実施形態に係る扇風機の動作のフローチャートである。
【図９】本発明の第１実施形態に係る扇風機の動作のフローチャートである。
【図１０】本発明の第１実施形態に係る扇風機の動作のフローチャートである。
【図１１】本発明の第２実施形態に係る扇風機の上下方向検出機構の拡大図である。
【図１２】本発明の第２実施形態に係る扇風機の左右方向検出機構の拡大図である。
【図１３】従来の扇風機の上下首振り運転および左右首振り運転を説明するための図である。
【発明を実施するための形態】
【００１２】
以下、図面を参照しながら本発明の扇風機を、その実施形態を例示して詳細に説明する。
図１は、本発明の第１実施形態に係る扇風機の正面図であり、Ｚ軸に上下方向を表し、Ｙ軸に左右方向を表す。
扇風機１００は、羽根１（軌道が二点鎖線で図示）と、羽根１を回転させるための羽根用モータ２と、羽根１を上下（垂直）方向に首振りさせるための上下首振り機構と、羽根１を左右（水平）方向に首振りさせるための左右首振り機構と、羽根１の高さを調節するために上下にスライドするスライドパイプ３０と、スライドパイプ３０に接続された支柱３１と、支柱３１に接続されたベース４０と、ベース４０に設けられ、扇風機１００の動作を制御するための操作パネル５０と、を有する。羽根１は、羽根用モータ２の回転軸先端３に設けられている。
図１において、羽根１は、上下方向正面かつ左右方向正面、すなわちＸ方向を向いている。
【００１３】
扇風機１００は、上下首振り機構として、上下首振りモータ１２と、上下首振りモータ１２の駆動ギア１３および従動ギア１４と、支持軸１５と、支持軸１５を中心に回転し、羽根用モータ２が取り付けられたモータケース１６と、を有する。上下首振りモータ１２が回転すると、上下首振りモータ１２に取り付けられた駆動ギア１３と、駆動ギア１３に連動する従動ギア１４（支持軸１５に回転自在に軸支されている）と、が回転し、従動ギア１４に取り付けられたモータケース１６が回転する。
上下首振りモータ１２は、例えば、ステッピングモータであり、従来周知の自動反転機構（図示せず）を有し、一定角度回転したら自動的に反転することで、羽根１の上下首振り運動を可能としている。
なお、図示例では、支持軸１５が支持体２６に固定され、支持軸１５は回転しないが、支持軸１５がモータケース１６に固定され、支持軸１５およびモータケース１６がともに回転する構造も可能である。また、図示例では、上下首振りモータ１２の回転を、駆動ギア１３および従動ギア１４を用いてモータケース１６に伝えているが、上下首振りモータ１２をモータケース１６に直接取り付けて、駆動ギア１３および従動ギア１４を省略することもできる。
【００１４】
図２に側面図を示すように、扇風機１００は、Ｘ方向に対して下方向に約１０°、上方向に約９０°首振り運転をすることができる。なお、上下方向の首振り運転の角度は、この角度に制限されるものではない。
【００１５】
図１および図３を参照して、上下方向検出機構を説明する。
扇風機１００は、上下方向検出機構として、モータケース１６に取り付けられたカム１７と、カム１７に対面し、支持体２６に取り付けられたスイッチ１８と、を有する。図３（ａ）に示すように、羽根１が、上下方向正面（Ｘ方向）を向いている場合、カム１７はスイッチ１８を押すので、スイッチ１８はＯＮになっている。一方、羽根１が、上下方向正面以外を向いている場合、例えば、図３（ｂ）に示すように、羽根１が、Ｚ方向を向いている場合、カム１７はスイッチ１８を押さないので、スイッチ１８はＯＦＦになっている。このような上下方向検出機構によって、羽根１が、上下方向正面を向いている場合を検出し、後述するように、羽根１が、上下方向正面を向いている状態で扇風機１００を停止することができる。
なお、図示例では、カム１７をモータケース１６に取り付け、スイッチ１８を支持体２６に取り付けているが、カム１７およびスイッチ１８の取り付け位置は適宜変更可能である。また、図示例では、羽根１が上下方向正面を向いている場合に、スイッチ１８がＯＮになっているが、羽根１が、上下方向正面以外の所定角度を向いている場合に、スイッチ１８がＯＮになってもよい。また、スイッチ１８のＯＮ／ＯＦＦが逆でもよい。
【００１６】
図１を再度参照して、扇風機１００の左右首振り機構を説明する。
扇風機１００は、左右首振り機構として、左右首振りモータ２２と、左右首振りモータ２２の駆動ギア２３および従動ギア２４と、回転軸２５と、回転軸２５を中心に回転し、回転軸２５に取り付けられた支持体２６と、を有する。左右首振りモータ２２が回転すると、左右首振りモータ２２に取り付けられた駆動ギア２３と、駆動ギア２３に連動する従動ギア２４（回転軸２５に固定されている）と、が回転し、回転軸２５に取り付けられた支持体２６が回転する。支持体２６および回転軸２５は、スライドパイプ３０に回転自在に軸支されている。
左右首振りモータ２２は、例えば、ステッピングモータであり、従来周知の自動反転機構（図示せず）を有し、一定角度回転したら自動的に反転することで、羽根１の左右首振り運動を可能としている。
なお、図示例では、回転軸２５が支持体２６に固定され、回転軸２５および支持体２６がともに回転するが、回転軸２５がスライドパイプ３０に固定され、支持体２６のみが回転し、回転軸２５が回転しない構造も可能である。また、図示例では、左右首振りモータ２２の回転を、駆動ギア２３および従動ギア２４を用いて支持体２６に伝えているが、左右首振りモータ２２を支持体２６に直接取り付けて、駆動ギア２３および従動ギア２４を省略することもできる。
【００１７】
図４に示すように、扇風機１００は、左右に約７０°の首振り運転をすることができる。なお、左右方向の首振り運転の角度は、この角度に制限されるものではない。
【００１８】
図１および図５を参照して、左右方向検出機構を説明する。
扇風機１００は、左右方向検出機構として、支持体２６に取り付けられたカム２７と、カム２７に対面し、支柱３１から延在する支持板３２に取り付けられたスイッチ２８と、を有する。図５（ａ）に示すように、羽根１が、左右方向正面（Ｘ方向）を向いている場合、支持体２６に隠れて見えないが、カム２７はスイッチ２８を押すので、スイッチ２８はＯＮになっている。一方、羽根１が、左右方向正面以外を向いている場合、例えば、図５（ｂ）に示すように、羽根１が、左右方向正面に対して所定角度の方向を向いている場合、カム２７はスイッチ２８を押さないので、スイッチ２８はＯＦＦになっている。このような左右方向検出機構によって、羽根１が、左右方向正面を向いている場合を検出し、後述するように、羽根１が、左右方向正面を向いている状態で扇風機１００を停止することができる。
なお、図示例では、カム２７を支持体２６に取り付け、スイッチ２８を支持板３２に取り付けているが、カム２７およびスイッチ２８の取り付け位置は適宜変更可能である。また、図示例では、羽根１が左右方向正面を向いている場合に、スイッチ２８がＯＮになっているが、羽根１が、左右方向正面に対して所定角度を向いている場合に、スイッチ２８がＯＮになってもよい。また、スイッチ２８のＯＮ／ＯＦＦが逆でもよい。
【００１９】
図６に、本発明の扇風機１００の操作パネル５０を示す。なお、図示例では、ベース４０に設けられた操作パネル５０について説明するが、操作パネルは、リモコンに設けることもできる。
操作パネル５０は、扇風機１００の電源をＯＮ／ＯＦＦするための入／切ボタン（Ａ）、風量調節のための風量△ボタン（Ｂ）および風量▽ボタン（Ｃ）、タイマー調節のための切タイマーボタン（Ｄ）および入タイマーボタン（Ｅ）、羽根１を上下方向に首振り運動させる上下首振りボタン（Ｆ）、羽根１を左右方向に首振り運動させる左右首振りボタン（Ｇ）、羽根１を上下方向および左右方向に同時に首振り運動させる攪拌ボタン（Ｈ）を有する。
上下首振りボタン（Ｆ）および左右首振りボタン（Ｇ）は、扇風機１００を通常の扇風機モードで使用する際に用いる。撹拌ボタン（Ｈ）は、主に部屋の空気を撹拌し、サーキュレーターとして攪拌モードで使用する際に用いる。攪拌モードでは、上下首振りモータ１２および左右首振りモータ２２の両方が用いられる。
【００２０】
図７に、本発明の扇風機１００の制御回路を示す。
操作パネル５０のボタンＡ〜Ｈおよび羽根用モータ２は、コントローラに接続されている。
羽根１が上下方向正面を向いている場合にＯＮとなるスイッチ１８の信号は、Ｌ１１を介してＡＮＤ回路（ＡＮＤ１）に伝送され、コントローラからのＯＮ／ＯＦＦ信号は、Ｌ１２を介してＡＮＤ回路（ＡＮＤ１）に伝送される。このＡＮＤ回路（ＡＮＤ１）からの信号は、Ｌ１３を介して上下首振りモータ１２に伝送される。扇風機１００の運転中、羽根１が上下方向正面を向くたびに、スイッチ１８が押されるため、スイッチ１８からＯＮ信号がＡＮＤ回路（ＡＮＤ１）に伝送される。しかし、ＡＮＤ回路（ＡＮＤ１）には、コントローラからのＯＦＦ信号が伝送されないため、Ｌ１３に伝送される信号は変化しない（すなわち、スイッチ１８からＯＮ信号は無視される）。一方、扇風機１００の運転中に、コントローラからのＯＦＦ信号がＬ１２を介してＡＮＤ回路（ＡＮＤ１）に伝送され、かつ、羽根１が上下方向正面を向き、スイッチ１８からＯＮ信号がＬ１１を介してＡＮＤ回路（ＡＮＤ１）に伝送されると、Ｌ１３に伝送される信号が変化して上下首振りモータ１２が停止する。
左右首振りモータ２２も同様の制御が行われる。
羽根１が左右方向正面を向いている場合にＯＮとなるスイッチ２８の信号は、Ｌ２１を介してＡＮＤ回路（ＡＮＤ２）に伝送され、コントローラからのＯＮ／ＯＦＦ信号は、Ｌ２２を介してＡＮＤ回路（ＡＮＤ２）に伝送される。このＡＮＤ回路（ＡＮＤ２）からの信号は、Ｌ２３を介して左右首振りモータ２２に伝送される。扇風機１００の運転中、羽根１が左右方向正面を向くたびに、スイッチ２８が押されるため、スイッチ２８からＯＮ信号がＡＮＤ回路（ＡＮＤ２）に伝送される。しかし、ＡＮＤ回路（ＡＮＤ２）には、コントローラからのＯＦＦ信号が伝送されないため、Ｌ２３に伝送される信号は変化しない（すなわち、スイッチ２８からＯＮ信号は無視される）。一方、扇風機１００の運転中に、コントローラからのＯＦＦ信号がＬ２２を介してＡＮＤ回路（ＡＮＤ２）に伝送され、かつ、羽根１が左右方向正面を向き、スイッチ２８からＯＮ信号がＬ２１を介してＡＮＤ回路（ＡＮＤ２）に伝送されると、Ｌ２３に伝送される信号が変化して左右首振りモータ２２が停止する。
【００２１】
図８〜図１０に、本発明の扇風機１００の動作のフローチャートを示す。
図８は、扇風機１００が攪拌モードで運転している際に、入／切ボタン（Ａ）が押された場合の動作を示す。
ステップＳ８１において、入／切ボタン（Ａ）が押され、「切」信号を認識すると、ステップＳ８２において、羽根１が上下方向正面を向いている場合にＯＮとなるスイッチ１８の信号を監視する。ステップＳ８２において、スイッチ１８がＯＮとなると、ステップＳ８３において、上下首振りモータ１２を停止する。このとき、羽根１は上下方向正面で、左右に首振り運転をしている。
次に、ステップＳ８４において、羽根１が左右方向正面を向いている場合にＯＮとなるスイッチ２８の信号を監視する。ステップＳ８４において、スイッチ２８がＯＮとなると、ステップＳ８５において、左右首振りモータ２２を停止する。このとき、羽根１が上下方向および左右方向の両方向で正面を向いている。次に、ステップＳ８６において、羽根用モータ２を停止して、扇風機１００を停止させる。
本発明によると、扇風機１００が攪拌モードで運転している際に、入／切ボタン（Ａ）が押された場合、すぐに扇風機１００を停止させるのではなく、羽根１が上下方向正面かつ左右方向正面を向くまで運転を続けた後、扇風機１００を停止させることができる。
【００２２】
図８のステップＳ８１において、入／切ボタン（Ａ）の代わりに撹拌ボタン（Ｈ）が押されると、ステップＳ８６の前で制御が終了する。すなわち、羽根１が上下方向および左右方向の両方向で正面を向いた（首振りをしない）状態で、扇風機１００は運転する。
【００２３】
図９は、扇風機１００が上下首振りのみの扇風機モードで運転している際に、入／切ボタン（Ａ）が押された場合の動作を示す。
ステップＳ９１において、入／切ボタン（Ａ）が押され、「切」信号を認識すると、ステップＳ９２において、羽根１が上下方向正面を向いている場合にＯＮとなるスイッチ１８の信号を監視する。ステップＳ９２において、スイッチ１８がＯＮとなると、ステップＳ９３において、上下首振りモータ１２を停止する。このとき、羽根１が上下方向正面を向いている。
次に、ステップＳ９４において、羽根用モータ２を停止して、扇風機１００を停止させる。
なお、扇風機１００が左右首振りのみの扇風機モードで運転している際に、入／切ボタン（Ａ）が押された場合の動作も同様である。
本発明によると、扇風機１００が扇風機モードで運転している際に、入／切ボタン（Ａ）が押された場合、すぐに扇風機１００を停止させるのではなく、羽根１が上下方向正面または左右方向正面を向くまで運転を続けた後、扇風機１００を停止させることができる。
ただし、常に扇風機モードで使用するユーザの場合、入／切ボタン（Ａ）を押した後、扇風機１００がすぐに停止しないと煩わしいと感じるおそれもある。それゆえ、扇風機１００が扇風機モードで運転している際に、入／切ボタン（Ａ）が押された場合、羽根１が上下方向正面を向くまで運転を続ける動作を省略することも可能である。
【００２４】
図１０は、扇風機１００が攪拌モードで運転している際に、左右首振りボタン（Ｇ）が押された場合の動作を示す。
ステップＳ１０１において、左右首振りボタン（Ｇ）が押されると、ステップＳ１０２において、羽根１が上下方向正面を向いている場合にＯＮとなるスイッチ１８の信号を監視する。ステップＳ１０２において、スイッチ１８がＯＮとなると、ステップＳ１０３において、上下首振りモータ１２を停止する。このとき、羽根１は上下方向正面で、左右に首振り運転をしている。
なお、扇風機１００が攪拌モードで運転している際に、上下首振りボタン（Ｆ）が押された場合の動作も同様である。
本発明によると、扇風機１００が攪拌モードで運転している際に、扇風機１００を扇風機モードで運転させるために、上下首振りボタン（Ｆ）または左右首振りボタン（Ｇ）が押された場合、羽根１が上下方向正面または左右方向正面を向くまで扇風機１００の運転を続けた後、扇風機モードに移行させることができる。
【００２５】
図１１および図１２は、それぞれ、本発明の第２実施形態に係る扇風機の上下方向検出機構および左右方向検出機構の拡大図である。
図１１に示すように、上下方向検出機構として、反射体１７ａがモータケース１６に取り付けられ、反射型フォトセンサ１８ａが反射体１７ａに対面して支持体２６に取り付けられている。反射体１７ａの軌跡は、二点鎖線で示されている。反射型フォトセンサ１８ａは、発光部１８ａ１および受光部１８ａ２を有する。
羽根１（図示省略）が、上下方向正面（Ｘ方向）を向くと、発光部１８ａ１の発光ビームを反射体１７ａが受光部１８ａ２に反射する。すると、受光部１８ａ２は、コントローラに信号を送り、第１実施形態におけるスイッチ１８のＯＮと同様の動作が発生する。
図１２に示すように、左右方向検出機構として、反射体２７ａが支持体２６に取り付けられ、反射型フォトセンサ２８ａが反射体２７ａに対面して支持板３２に取り付けられている。反射型フォトセンサ２８ａは、発光部２８ａ１および受光部２８ａ２を有する。
羽根１（図示省略）が、左右方向正面（Ｘ方向）を向くと、発光部２８ａ１の発光ビームを反射体２７ａが受光部２８ａ２に反射する。すると、受光部２８ａ２は、コントローラに信号を送り、第１実施形態におけるスイッチ２８のＯＮと同様の動作が発生する。
第２実施形態では、第１実施形態と異なり、羽根１が所定の方向を向いていることを非接触で検出することができる。これにより、駆動部分による摩擦や疲労などによる故障が少なく、耐久性の良い扇風機を提供することができる。
【符号の説明】
【００２６】
１        羽根
２        羽根用モータ
１２      上下首振りモータ
１３      駆動ギア
１４      従動ギア
１５      支持軸
１６      モータケース
１７      カム
１７ａ    反射体
１８      スイッチ
１８ａ    反射型フォトセンサ
１８ａ１  発光部
１８ａ２  受光部
２２      左右首振りモータ
２３      駆動ギア
２４      従動ギア
２５      回転軸
２６      支持体
２７      カム
２７ａ    反射体
２８      スイッチ
２８ａ    反射型フォトセンサ
２８ａ１  発光部
２８ａ２  受光部
３０      スライドパイプ
３１      支柱
３２      支持板
４０      ベース
５０      操作パネル
１００    扇風機
【要約】
【課題】扇風機モードおよび攪拌モードの両方で使用可能な扇風機において、羽根が、上下方向および／または左右方向の所定の方向を向いた状態に調節される。
【解決手段】羽根（１）と、前記羽根（１）を回転させるための羽根用モータ（２）と、前記羽根（１）を上下方向に首振りさせるための上下首振りモータ（１２）と、前記羽根（１）を左右方向に首振りさせるための左右首振りモータ（２２）と、前記羽根（１）が上下方向の所定の方向を向いていることを検出する上下方向検出機構と、前記羽根（１）が左右方向の所定の方向を向いていることを検出する左右方向検出機構と、を有する扇風機（１００）であって、
前記上下方向検出機構および前記左右方向検出機構の少なくとも一方を用いることによって、前記羽根（１）が、上下方向の前記所定の方向および左右方向の前記所定の方向の少なくとも一方の方向を向くように、前記上下首振りモータ（１２）および前記左右首振りモータ（２２）の少なくとも一方が制御される。
【選択図】図１【図１】
0005706992.tif 000002
【図２】
0005706992.tif 000003
【図３】
0005706992.tif 000004
【図４】
0005706992.tif 000005
【図５】
0005706992.tif 000006
【図６】
0005706992.tif 000007
【図７】
0005706992.tif 000008
【図８】
0005706992.tif 000009
【図９】
0005706992.tif 000010
【図１０】
0005706992.tif 000011
【図１１】
0005706992.tif 000012
【図１２】
0005706992.tif 000013
【図１３】
0005706992.tif 000014